(57)【特許請求の範囲】
【請求項１】
印刷機に入力される第１の色空間の値をカラーマッチングにより調整して印刷出力した第１のチャートと、該第１のチャートを測色した第２の色空間の値とを用いて、該第１のチャートの該第１の色空間の値に第２の色空間の値を対応付ける第１の情報の入力を受け付け、
前記印刷機に入力される第１の色空間の値をカラーマッチングにより調整せずに印刷出力した第２のチャートと、該第２のチャートを測色した前記第２の色空間の値とを用いて、該第２のチャートの該第１の色空間の値に該第２の色空間の値を対応付ける第２の情報の入力を受け付け、
前記第２のチャートを測色した前記第２の色空間の値に基づいて、同一色を再現する前記第１の色空間の候補値を算出し、算出した該候補値のうち、該第１の色空間の所定の色要素が目標値より多い候補値を選択して該第２のチャートを測色した該第２の色空間の値の変換値とし、前記印刷機に入力される前記第１の色空間の値を該変換値に変換する第３の情報を生成し、
前記第２の情報と前記第３の情報とに基づいて、前記第２の情報の前記第２の色空間から前記第１の色空間における選択した前記候補値へと変換する第４の情報を生成し、
前記印刷機に入力される前記第１の色空間の値と、前記第１の情報から得られる該第１の色空間の値に対応付けられる前記第２の色空間の値を入力値として前記第４の情報により該入力値を変換した変換結果とを対応付けることによって、制限された前記印刷機に応じた第１の色空間の値の範囲内で該入力値を変換する変換プロファイルを生成する
処理をコンピュータが行うプロファイルデータ生成方法。
【請求項２】
前記コンピュータが、
前記印刷機に応じた前記第１の色空間の値の範囲内で、前記入力値に対して前記所定の色要素のインク量を多くし、該所定の色要素と異なる１以上の色要素のインク量を削減する前記変換プロファイルを生成する
ことを特徴とする請求項１記載のプロファイルデータ生成方法。
【請求項３】
前記コンピュータは、
前記第１の情報の前記変換後の値が前記第４の情報に存在しない場合、該第４の情報に存在する、該変換後の値に一番近い該第４の情報の値を基準とし、該基準の周辺にある複数の値を用いて、前記変換結果を算出する
ことを特徴とする請求項２記載のプロファイルデータ生成方法。
【請求項４】
印刷機に入力される第１の色空間の値をカラーマッチングにより調整して印刷出力した第１のチャートと、該第１のチャートを測色した第２の色空間の値とを用いて、該第１のチャートの該第１の色空間の値に第２の色空間の値を対応付ける第１の情報の入力を受け付け、
前記印刷機に入力される第１の色空間の値をカラーマッチングにより調整せずに印刷出力した第２のチャートと、該第２のチャートを測色した前記第２の色空間の値とを用いて、該第２のチャートの該第１の色空間の値に該第２の色空間の値を対応付ける第２の情報の入力を受け付け、
前記第２のチャートを測色した前記第２の色空間の値に基づいて、同一色を再現する前記第１の色空間の候補値を算出し、算出した該候補値のうち、該第１の色空間の所定の色要素が目標値より多い候補値を選択して該第２のチャートを測色した該第２の色空間の値の変換値とし、前記印刷機に入力される前記第１の色空間の値を該変換値に変換する第３の情報を生成し、
前記第２の情報と前記第３の情報とに基づいて、前記第２の情報の前記第２の色空間から前記第１の色空間における選択した前記候補値へと変換する第４の情報を生成し、
前記印刷機に入力される前記第１の色空間の値と、前記第１の情報から得られる該第１の色空間の値に対応付けられる前記第２の色空間の値を入力値として前記第４の情報により該入力値を変換した変換結果とを対応付けることによって、制限された前記印刷機に応じた第１の色空間の値の範囲内で該入力値を変換する変換プロファイルを生成する
処理をコンピュータに行わせるプロファイルデータ生成プログラム。
【請求項５】
印刷機に入力される第１の色空間の値をカラーマッチングにより調整して印刷出力した第１のチャートと、該第１のチャートを測色した第２の色空間の値とを用いて、該第１のチャートの該第１の色空間の値に第２の色空間の値を対応付ける第１の情報の入力を受け付ける第１情報入力部と、
前記印刷機に入力される第１の色空間の値をカラーマッチングにより調整せずに印刷出力した第２のチャートと、該第２のチャートを測色した前記第２の色空間の値とを用いて、該第２のチャートの該第１の色空間の値に該第２の色空間の値を対応付ける第２の情報の入力を受け付ける第２情報入力部と、
前記第２のチャートを測色した前記第２の色空間の値に基づいて、同一色を再現する前記第１の色空間の候補値を算出し、算出した該候補値のうち、該第１の色空間の所定の色要素が目標値より多い候補値を選択して該第２のチャートを測色した該第２の色空間の値の変換値とし、前記印刷機に入力される前記第１の色空間の値を該変換値に変換する第３の情報を生成する第３情報生成部と、
前記第２の情報と前記第３の情報とに基づいて、前記第２の情報の前記第２の色空間から前記第１の色空間における選択した前記候補値へと変換する第４の情報を生成する第４情報生成部と、
前記印刷機に入力される前記第１の色空間の値と、前記第１の情報から得られる該第１の色空間の値に対応付けられる前記第２の色空間の値を入力値として前記第４の情報により該入力値を変換した変換結果とを対応付けることによって、制限された前記印刷機に応じた第１の色空間の値の範囲内で該入力値を変換する変換プロファイルを生成する変換ファイル生成部と、
を有するプロファイルデータ生成装置。
【発明の詳細な説明】
【技術分野】
【０００１】
本発明は、プロファイルデータ生成方法、プロファイルデータ生成プログラム、及びプロファイルデータ生成装置に関する。
【背景技術】
【０００２】
近年、新聞、雑誌等の印刷物の一部はデジタル印刷機で生産されるようになっている。デジタル印刷機では、原稿のデジタルデータに基づいて印刷したとしても、従来の印刷と、デジタル印刷とでは、人の目では色合いが異なって見える場合がある。
【０００３】
所望の色とデジタル印刷機によって印刷された色との色合わせを行い、デジタル印刷機の特性を取り込んだ印刷用プロファイルを作成し、作成した印刷用プロファイルに基づいてカラーマッチングして印刷する技術等が知られている。
【先行技術文献】
【特許文献】
【０００４】
【特許文献１】特開２００３−０２５５３４号公報
【特許文献２】特開平１０−１７３９４８号公報
【特許文献３】特開２００２−２２５２３６号公報
【発明の概要】
【発明が解決しようとする課題】
【０００５】
上述した従来技術では、例えば印刷機のターゲットプロファイルやプリンタプロファイルの確認ができないような場合、印刷機で行われるカラーマッチングに用いる変換プロファイルの生成が困難である。
【０００６】
したがって、１つの側面では、本発明は、印刷機で行われるカラーマッチングに用いる変換プロファイルを簡単に生成することを目的とする。
【課題を解決するための手段】
【０００７】
一態様によれば、印刷機に入力される第１の色空間の値をカラーマッチングにより調整して印刷出力した第１のチャートと、該第１のチャートを測色した第２の色空間の値とを用いて、該第１のチャートの該第１の色空間の値に第２の色空間の値を対応付ける第１の情報の入力を受け付け、前記印刷機に入力される第１の色空間の値をカラーマッチングにより調整せずに印刷出力した第２のチャートと、該第２のチャートを測色した前記第２の色空間の値とを用いて、該第２のチャートの該第１の色空間の値に該第２の色空間の値を対応付ける第２の情報の入力を受け付け、前記第２のチャートを測色した前記第２の色空間の値に基づいて、同一色を再現する前記第１の色空間の候補値を算出し、算出した該候補値のうち、該第１の色空間の所定の色要素が目標値より多い候補値を選択して該第２のチャートを測色した該第２の色空間の値の変換値とし、前記印刷機に入力される前記第１の色空間の値を該変換値に変換する第３の情報を生成し、前記第２の情報と前記第３の情報とに基づいて、前記第２の情報の前記第２の色空間から前記第１の色空間における選択した前記候補値へと変換する第４の情報を生成し、前記印刷機に入力される前記第１の色空間の値と、前記第１の情報から得られる該第１の色空間の値に対応付けられる前記第２の色空間の値を入力値として前記第４の情報により該入力値を変換した変換結果とを対応付けることによって、制限された前記印刷機に応じた第１の色空間の値の範囲内で該入力値を変換する変換プロファイルを生成する処理をコンピュータが行うプロファイルデータ生成方法が提供される。
【０００８】
上記課題を解決するための手段として、上記方法を行う装置、コンピュータに上記処理を実行させるためのプログラム、及び、そのプログラムを記憶した記憶媒体とすることもできる。
【発明の効果】
【０００９】
印刷機で行われるカラーマッチングに用いる変換プロファイルを簡単に生成することができる。
【図面の簡単な説明】
【００１０】
【図１】印刷システムの例を示す図である。
【図２】プロファイルデータ生成装置のハードウェア構成を示す図である。
【図３】プロファイルデータ生成装置の機能構成例を示す図である。
【図４】プロファイルデータ生成に係る全体の処理手順を説明するための図である。
【図５】手順１における処理を説明するための図（その１）である。
【図６】手順１における処理を説明するための図（その２）である。
【図７】手順２における処理を説明するための図（その１）である。
【図８】手順２における処理を説明するための図（その２）である。
【図９】手順３における処理を説明するための図である。
【図１０】画像比較例を示す図である。
【図１１】手順４における処理を説明するための図である。
【図１２】手順５における処理を説明するための図である。
【発明を実施するための形態】
【００１１】
以下、本発明の実施の形態を図面に基づいて説明する。図１は、印刷システムの例を示す図である。図１において、印刷システム１０００は、データ変換処理装置７０と、印刷出力装置９０とを有する。
【００１２】
データ変換処理装置７０は、入力された原稿データ１を展開処理部７１に入力し、処理前ビットマップデータ２に展開する。原稿データ１は、カラー画像を含むデータファイル等である。処理前ビットマップデータ２は、データ処理部７２に入力される。
【００１３】
データ処理部７２は、直接変換プロファイル７を記憶部７３に保持し、直接変換プロファイル７を参照することで、入力された処理前ビットマップデータ２に対してデータ処理を行い、インク量を削減したＣＭＹＫ（Cyan、Magenta、Yellow、及びBlack）の色空間の処理後ビットマップデータ３を出力する。処理後ビットマップデータ３は、印刷出力装置９０へ入力される。
【００１４】
印刷出力装置９０は、処理後ビットマップデータ３に基づいて、インク量を削減したＣＭＹＫの色空間で印刷物４を出力するデジタル印刷機である。
【００１５】
直接変換プロファイル７は、ＧＣＲ（Gray Component Replacement：グレー置換）を含み、印刷出力装置９０の特性に基づいたカラーマッチングにより調整したＣＭＹＫから、同一の色空間であるが、Ｋインクを多くし、ＣＭＹを少なくすることでインク量を削減するＣ"Ｍ"Ｙ"Ｋ"へ変換するプロファイルデータである。
【００１６】
直接変換プロファイル７を用いるのみで、印刷出力装置９０は、カラーマッチングにより調整したＣＭＹＫから直接にインク量を削減するＣ"Ｍ"Ｙ"Ｋ"の各カラーインクの割合を取得できる。本実施例における直接変換プロファイル７を用いることにより、色再現の精度を維持しつつ、印刷コストを削減できる。
【００１７】
上述した印刷システム１０００では、以下の既存の印刷システムの問題点を解決できる。既存の印刷システムでは、
・ユーザがプロファイルを作成するためには、印刷特性に合わせた印刷環境でチャートを印刷して、ユーザによってプロファイルが作成されデータ変換処理装置７０に設定していた。プロファイルの作成及び設定には専門的知識が必要であり、容易には行えないといった問題がある。
・入力データの色空間に対し、データ変換処理装置７０のデータ処理部７２による色変換処理は１回のみである場合が多い。
・色変換処理によっては、既存の設定済みのプロファイルの情報を再利用できない場合がある。
・入力データに対して、上位システムでインク削減等の特性のあるデータを作成しても、色変換処理後には特性が失われてしまう場合がある。
【００１８】
本実施例では、上述した問題点を解決する、直接変換プロファイル７を、後述するプロファイルデータ生成装置１００によって生成する。直接変換プロファイル７を生成するプロファイルデータ生成装置１００について説明する。
【００１９】
図２は、プロファイルデータ生成装置のハードウェア構成を示す図である。図２において、プロファイルデータ生成装置１００は、コンピュータによって制御される情報処理装置であって、ＣＰＵ（Central Processing Unit）１１と、主記憶装置１２と、補助記憶装置１３と、入力装置１４と、表示装置１５と、通信Ｉ／Ｆ（インターフェース）１７と、ドライブ装置１８とを有し、バスＢに接続される。
【００２０】
ＣＰＵ１１は、主記憶装置１２に格納されたプログラムに従ってプロファイルデータ生成装置１００を制御する。主記憶装置１２には、ＲＡＭ（Random Access Memory）、ＲＯＭ（Read Only Memory）等が用いられ、ＣＰＵ１１にて実行されるプログラム、ＣＰＵ１１での処理に必要なデータ、ＣＰＵ１１での処理にて得られたデータ等を記憶又は一時保存する。
【００２１】
補助記憶装置１３には、ＨＤＤ（Hard Disk Drive）等が用いられ、各種処理を実行するためのプログラム等のデータを格納する。補助記憶装置１３に格納されているプログラムの一部が主記憶装置１２にロードされ、ＣＰＵ１１に実行されることによって、各種処理が実現される。記憶部１３０は、主記憶装置１２及び／又は補助記憶装置１３に相当する。
【００２２】
入力装置１４は、マウス、キーボード等を有し、ユーザがプロファイルデータ生成装置１００による処理に必要な各種情報を入力するために用いられる。表示装置１５は、ＣＰＵ１１の制御のもとに必要な各種情報を表示する。入力装置１４と表示装置１５とは、一体化したタッチパネル等によるユーザインタフェースであってもよい。通信Ｉ／Ｆ１７は、有線又は無線などのネットワークを通じて通信を行う。通信Ｉ／Ｆ１７による通信は無線又は有線に限定されるものではない。
【００２３】
プロファイルデータ生成装置１００によって行われる処理を実現するプログラムは、例えば、ＣＤ−ＲＯＭ（Compact Disc Read-Only Memory）等の記憶媒体１９によってプロファイルデータ生成装置１００に提供される。
【００２４】
ドライブ装置１８は、ドライブ装置１８にセットされた記憶媒体１９（例えば、ＣＤ−ＲＯＭ等）とプロファイルデータ生成装置１００とのインターフェースを行う。
【００２５】
また、記憶媒体１９に、後述される本実施の形態に係る種々の処理を実現するプログラムを格納し、この記憶媒体１９に格納されたプログラムは、ドライブ装置１８を介してプロファイルデータ生成装置１００にインストールされる。インストールされたプログラムは、プロファイルデータ生成装置１００により実行可能となる。
【００２６】
尚、プログラムを格納する記憶媒体１９はＣＤ−ＲＯＭに限定されず、コンピュータが読み取り可能な、構造（structure）を有する１つ以上の非一時的（non-transitory）な、有形（tangible）な媒体であればよい。コンピュータ読取可能な記憶媒体として、ＣＤ−ＲＯＭの他に、ＤＶＤディスク、ＵＳＢメモリ等の可搬型記録媒体、フラッシュメモリ等の半導体メモリであっても良い。
【００２７】
プロファイルデータ生成装置１００と、印刷出力装置９０とは個別の装置として説明するが、印刷出力装置９０が、上述したハードウェア構成、及び、後述する機能構成を有し、本実施例におけるプロファイルデータ生成処理を行うようにしてもよい。
【００２８】
図３は、プロファイルデータ生成装置の機能構成例を示す図である。図３において、プロファイルデータ生成装置１００は、入力プロファイル生成部４１と、出力プロファイル生成部４２と、合成処理部４９とを有する。入力プロファイル生成部４１と、出力プロファイル生成部４２と、合成処理部４９とは、プロファイルデータ生成装置１００にインストールされたプログラムが、プロファイルデータ生成装置１００のＣＰＵ１１に実行させる処理により実現される。
【００２９】
また、記憶部１３０は、ＣＭＹＫデータ５、第１測色値５１、第２測色値５２、入力プロファイル６１、出力プロファイル６２、インク削減用プロファイル６３、合成プロファイル６４、直接変換プロファイル７等を記憶する。
【００３０】
入力プロファイル生成部４１は、ＣＭＹＫデータ５と、第１測色値５１とに基づいて、入力プロファイル６１を生成する。ＣＭＹＫデータ５は、印刷出力装置９０に出力させたチャートのＣＭＹＫ値を示す。ＣＭＹＫ値では、各色の出力の最大を１００％とした場合のＣ、Ｍ、Ｙ、Ｋ毎のパーセント値を示す。
【００３１】
第１測色値５１は、データ変換処理装置７０にカラーマッチングを有効にして出力させたチャート４ｃ−１（図５）を測色したＣＩＥＬａｂ（以下、単に、Ｌａｂ）値を示す。
【００３２】
入力プロファイル生成部４１は、ＣＭＹＫデータ５のＣＭＹＫ値に対応するＬａｂ値とを対応付けて、ＣＭＹＫ値からＬａｂ値への変換テーブルを作成し、入力プロファイル６１として記憶部１３０に出力する。ＣＭＹＫデータ５のＣＭＹＫ値は、色毎のＣ、Ｍ、Ｙ、及びＫの各色要素の目標値を示す。
【００３３】
出力プロファイル生成部４２は、第２測色値５２のＬａｂ値毎に、周辺のＬａｂ値に対応するＣＭＹＫ値からＣ'Ｍ'Ｙ'Ｋ'値を算出して、出力プロファイル６２を生成する。
【００３４】
第２測色値５２は、データ変換処理装置７０にカラーマッチングを無効にして出力させたチャート４ｃ−２（図７）を測色したＬａｂ値を示す。
【００３５】
出力プロファイル生成部４２は、測色したＬａｂ値と、算出したＣ'Ｍ'Ｙ'Ｋ'値とを対応付けて、Ｌａｂ値からＣ'Ｍ'Ｙ'Ｋ'値への変換テーブルを作成し、出力プロファイル６２として記憶部１３０に出力する。
【００３６】
入力プロファイル６１と、出力プロファイル６２とは、インク削減が考慮されていないプロファイルである。
【００３７】
合成処理部４９は、入力プロファイル６１と出力プロファイル６２を合成して、目標値のＣＭＹＫ値から、カラーマッチングにより調整され、かつ、ＧＣＲを含むＣ"Ｍ"Ｙ"Ｋ"値への直接変換を可能にする直接変換プロファイル７を生成する。合成処理部４９は、更に、インク削減用プロファイル生成部４３と、第１プロファイル合成部４４と、第２プロファイル合成部４５とを有する。
【００３８】
インク削減用プロファイル生成部４３は、第２測色値５２の各Ｌａｂ値に対して、同一Ｌａｂ値を得る複数のＣＭＹＫ値のうちＫ値が最大となるＣ"Ｍ"Ｙ"Ｋ"値を取得し、ＣＭＹＫデータのＣＭＹＫ値とＫ値が目標値より大きくなるＣ"Ｍ"Ｙ"Ｋ"値とを対応付けたインク削減用プロファイル６３を出力する。同一Ｌａｂ値を得る複数のＣＭＹＫ値の中で、Ｋ値を最大とするＣ"Ｍ"Ｙ"Ｋ"値は、ＧＣＲを含んでいると言える。
【００３９】
第１プロファイル合成部４４は、出力プロファイル６２と、インク削減用プロファイル６３とを合成した合成プロファイル６４を作成する。合成プロファイル６４は、Ｌａｂ値とＫ値を多くしてインク量を削減するＣ"Ｍ"Ｙ"Ｋ"値とへの変換テーブルである。
【００４０】
第２プロファイル合成部４５は、入力プロファイル６１と、合成プロファイル６４とを合成して、ＣＭＹＫ値からＣ"Ｍ"Ｙ"Ｋ"値へと直接対応付けた直接変換プロファイル７を作成する。
【００４１】
第２プロファイル合成部４５は、入力プロファイル６１と、合成プロファイル６４とに基づき、入力プロファイル６１のＣＭＹＫ値を、印刷出力装置９０によって制限される範囲内のＣ"Ｍ"Ｙ"Ｋ"値に変換する直接変換プロファイル７を作成する。印刷出力装置９０に応じたＣＭＹＫ値の範囲を制限する制限情報を、予め、プロファイルデータ生成装置１００に設定しておけばよい。
【００４２】
直接変換プロファイル７によって、ＧＣＲを含み、インク量を削減できるＣ"Ｍ"Ｙ"Ｋ"値を得ることができる。
【００４３】
図４は、プロファイルデータ生成に係る全体の処理手順を説明するための図である。図４において、入力プロファイル生成部４１は、カラーマッチングを行って印刷出力装置９０に出力させたチャート４ｃ−１（図５）のＣＭＹＫデータ５と、第１測色値５１とを用いて、入力プロファイル６１を生成する（手順１）。手順１は、図５及び図６で詳述される。
【００４４】
出力プロファイル生成部４２は、カラーマッチングを行わずに印刷出力装置９０に出力させたチャートのＣＭＹＫデータ５と、第２測色値５２とを用いて、出力プロファイル６２を生成する（手順２）。手順２は、図７及び図８で詳述される。出力プロファイル６２より、Ｃ'Ｍ'Ｙ'Ｋ'値を示したＣ'Ｍ'Ｙ'Ｋ'データ６を得ることができる。
【００４５】
また、インク削減用プロファイル生成部４３は、第２測色値５２を用いて、各色を表現する目標のＣＭＹＫ値と、同じＬａｂ値を得られるＣ"Ｍ"Ｙ"Ｋ"の候補値（Ｃ"Ｍ"Ｙ"Ｋ"候補という）の中でＫ値が最も多いＣ"Ｍ"Ｙ"Ｋ"値とを対応付けたインク削減用プロファイル６３を生成する（手順３）。インク削減用プロファイル６３から、インク量を削減できるＣ"Ｍ"Ｙ"Ｋ"値を得ることができる。インク削減用プロファイル６３のデータ構成例を図９に示す。
【００４６】
そして、第１プロファイル合成部４４は、出力プロファイル６２と、インク削減用プロファイル６３とを合成して、合成プロファイル６４を作成する（手順４）。手順４は、図１０で詳述される。合成プロファイル６４では、Ｌａｂ値からＫ値が多いＣ"Ｍ"Ｙ"Ｋ"値へと変換できる。
【００４７】
更に、第２プロファイル合成部４５は、既に作成済みの入力プロファイル６１と、合成プロファイル６４とを合成して、直接変換プロファイル７を作成する（手順５）。手順５は、図１２で詳述される。直接変換プロファイル７では、カラーマッチングを行って得られたＣＭＹＫ値から直接、インク削減可能なＫ値が多いＣ"Ｍ"Ｙ"Ｋ"値への変換を可能とする。直接変換プロファイル７によって、同様に、Ｃ"Ｍ"Ｙ"Ｋ"値を得ることができる。
【００４８】
図５及び図６は、手順１における処理を説明するための図である。図５及び図６において、ユーザは、印刷出力装置９０に、データ変換処理装置７０のカラーマッチングに基づいてＣＭＹＫデータ５に従ったチャート４ｃ−１を出力させる（手順１−１）。チャート４ｃ−１は、ＣＭＹＫデータ５で示されるＣ、Ｍ、Ｙ、及びＫの値の組み合せに対して、カラーマッチングを施して印刷した色のパターンを示す。
【００４９】
次に、出力したチャート４ｃ−１を測色機９０−２によって、各ＣＭＹＫ値のＬａｂ値を測る（手順１−２）。Ｌａｂ値の測定は、印刷出力装置９０が測色機能を有する場合には、チャート４ｃ−１の出力時に、自動的に連続して行われても良い。測色によってカラーマッチングを行った場合の第１測色値５１が得られる。
【００５０】
第１測色値５１では、カラーマッチング有りのＣ、Ｍ、Ｙ、及びＫの値の組み合せ毎に、Ｌ値、ａ値、及びｂ値が示され、例えば、組み合せを特定するＮｏ．「１」では（Ｌ、ａ、ｂ）は（１００、０、０）であり、Ｎｏ．「２」では（Ｌ、ａ、ｂ）は（９１、２、−１）であり、Ｎｏ．「３」では（Ｌ、ａ、ｂ）は（９０、１、−３）であることが示される。
【００５１】
入力プロファイル生成部４１は、ＣＭＹＫ値と、第１測色値５１のＬａｂ値とを対応付けた入力プロファイル６１を作成する（手順１−３）。作成された入力プロファイル６１によって、例えば、ＣＭＹＫ値（０、０、０、０）に対してＬａｂ値（１００、０、０）が対応し、ＣＭＹＫ値（０、０、０、１０）に対してＬａｂ値（９０、０、０）が対応し、ＣＭＹＫ値（０、０、０、２０）に対してＬａｂ値（８１、０、０）が対応することが示される。
【００５２】
このように、カラーマッチング有りの環境で印刷出力したチャート４ｃ−１を測色することで、最終的な印刷物（プリンタプロファイルの特性も含む）の色再現の目標を採取できる。
【００５３】
図５及び図６で説明した手順１において、既存の設定済みの入力プロファイル６１を利用する場合には、上述した手順１−１〜手順１−３を省略してもよい。既存の入力プロファイル６１の例として、ＪａｐａｎＣｏｌｏｒ（登録商標）で標準化された一般的なプロファイルがある。
【００５４】
また、上述では、印刷出力装置９０（デジタル印刷機）の色再現を維持しつつインクを削減するための入力プロファイル６１の生成方法について説明したが、本実施例では、別のデジタル印刷機の色再現を印刷出力装置９０で再現する場合においても、インクを削減できる。この場合、手順１−１で出力されるチャート４ｃ−１は、印刷出力装置９０ではなく、別の印刷機で出力されたチャートとすればよい。別の印刷機の色再現とは、例えば、輪転機や枚葉機での色再現である。
【００５５】
図７及び図８は、手順２における処理を説明するための図である。図７及び図８において、ユーザは、印刷出力装置９０に、データ変換処理装置７０のカラーマッチングを無効にしてＣＭＹＫデータ５に従ったチャート４ｃ−２を出力させる（手順２−１）。チャート４ｃ−２は、ＣＭＹＫデータ５で示されるＣ、Ｍ、Ｙ、及びＫの値の組み合せに対して、カラーマッチングを行わずに印刷した色のパターンを示す。
【００５６】
次に、出力したチャート４ｃ−２を測色機９０−２によって、カラーマッチング無しの各Ｃ'Ｍ'Ｙ'Ｋ'値のＬａｂ値を測る（手順２−２）。Ｌａｂ値の測定は、印刷出力装置９０が測色機能を有する場合には、チャート４ｃ−２の出力時に、自動的に連続して行われても良い。測色によってカラーマッチングを行わなかった場合の第２測色値５２が得られる。
【００５７】
第２測色値５２では、Ｌａｂ値からＣ'Ｍ'Ｙ'Ｋ'値への変換が示される。例えば、組み合せを特定するＮｏ．「１」では（Ｌ、ａ、ｂ）は（１００、０、０）であり、Ｎｏ．「２」では（Ｌ、ａ、ｂ）は（９１、２、−１）であり、Ｎｏ．「３」では（Ｌ、ａ、ｂ）は（９０、１、−３）であることが示される。
【００５８】
出力プロファイル生成部４２は、第２測色値５２のＬａｂ値と、Ｃ'Ｍ'Ｙ'Ｋ'値とを対応付けた出力プロファイル６２を作成する（手順２−３）。作成された出力プロファイル６２によって、例えば、Ｌａｂ値（１００、０、０）に対してＣ'Ｍ'Ｙ'Ｋ'値（０、０、０、０）が対応し、Ｌａｂ値（９０、０、０）に対してＣ'Ｍ'Ｙ'Ｋ'値（０、０、０、１０）が対応し、Ｌａｂ値（８１、０、０）に対してＣ'Ｍ'Ｙ'Ｋ'値（０、０、０、２０）が対応することが示される。
【００５９】
カラーマッチングの設定を無効にした環境で印刷出力したチャート４ｃ−２を測色することで、印刷出力装置９０の環境（インク又はトナー、紙、印刷機条件）で印刷可能な特性を採取できる。
【００６０】
図９は、手順３における処理を説明するための図である。図９において、インク削除用プロファイル生成部４３は、第２測色値５２で示される各Ｌａｂ値に対して、そのＬａｂ値を得られるＣ"Ｍ"Ｙ"Ｋ"候補を算出する（手順３）。
【００６１】
Ｃ"Ｍ"Ｙ"Ｋ"候補の算出では、対象のＬａｂ値の周辺のＬａｂ値に対応するＣＭＫＹ値に重み付けして対象のＬａｂ値のＣＭＹＫ値（目標のＣＭＹＫ値）を算出し、算出したＣＭＹＫ値と、この目標のＣＭＹＫ値から所定の距離内となる周辺のＣＭＹＫ値とを、Ｃ"Ｍ"Ｙ"Ｋ"候補とすればよい。
【００６２】
ここで、周辺のＣＭＹＫ値として、Ｃ、Ｍ、及びＹの少なくとも１つの値が閾値（例えば、１）以下、又は、Ｋ値が閾値（例えば、１００）以上となる値が選択される。
【００６３】
このようにすることで、Ｌａｂ値を変換する際の目標のＣＭＫＹ値と比べて、Ｃ、Ｍ、Ｙの各値を少なく、Ｋの値を多くでき、ＧＣＲを考慮したＣ"Ｍ"Ｙ"Ｋ"候補を算出できる。
【００６４】
更に、インク削除用プロファイル生成部４３は、Ｃ"Ｍ"Ｙ"Ｋ"候補の中でＫ値が最も高くなるＣ"Ｍ"Ｙ"Ｋ"値を特定して、対象のＬａｂ値のＣＭＹＫ値とＣ"Ｍ"Ｙ"Ｋ"値とを対応付ける（手順３−２）。
【００６５】
インク削除用プロファイル生成部４３は、手順３−１及び手順３−２を繰り返すことにより、第２測色値５２の全てのＬａｂ値に対して、ＣＭＹＫ値とＣ"Ｍ"Ｙ"Ｋ"値とを対応付けて、インク削減用プロファイル６３を出力する。
【００６６】
Ｌａｂから基準のＣＭＹＫへと変換した画像と、インク削減用プロファイル６３を用いて変換した画像の比較例を図１０に示す。図１０は、画像比較例を示す図である。図１０において、画像２０ｆと画像３０ｆとは、同じＬａｂを示す画像である。
【００６７】
画像２０ｆは、基準のＣＭＹＫ値に従った、シアン画像２０ｃ、マゼンタ画像２０ｍ、イエロー画像２０ｙ、及びブラック２０ｋを重ね合わせて印刷した画像である。
【００６８】
同じＬａｂを有する画像３０ｆは、インク削減用プロファイル６３を用いた場合の画像である。画像３０ｆでは、インク削減用プロファイル６３のＣ"Ｍ"Ｙ"Ｋ"値に従った、シアン画像３０ｃ、マゼンタ画像３０ｍ、イエロー画像３０ｙ、及びブラック３０ｋが重ね合わされている。
【００６９】
画像２０ｆと画像３０ｆとの差は、人の視覚では殆んど認識されない。Ｃ、Ｍ、Ｙ、及びＫの各画像の濃さを比較すると、人の視覚で比べた場合でも、シアン画像３０ｃ（＝Ｃ"）はシアン画像２０ｃ（＝Ｃ）より薄いか又は同等であり（Ｃ≧Ｃ"）、マゼンタ画像３０ｍ（＝Ｍ"）はマゼンタ画像２０ｍ（＝Ｍ）より薄いか又は同等であり（Ｍ≧Ｍ"）、イエロー画像３０ｙ（＝Ｙ"）はイエロー画像２０ｙ（＝Ｙ）より薄いか又は同等であり（Ｙ≧Ｙ"）、一方で、ブラック３０ｋ（＝Ｋ"）はブラック画像２０ｋ（＝Ｋ）より濃いか又は同等である（Ｋ≦Ｋ"）ことが分かる。即ち、同じＬａｂを得られるＣＭＹＫ値のうちＫ値が高いＣＭＹＫ値を採用することで、画質を劣化させることなく、Ｃ、Ｍ、及びＹのインクを削減することができる。
【００７０】
図１１は、手順４における処理を説明するための図である。図１１において、第１プロファイル合成部４４は、出力プロファイル６２のＣ'Ｍ'Ｙ'Ｋ'値を入力とし、インク削減用プロファイル６３を参照して、一致するＣＭＹＫ値が存在する場合には、一致したＣＭＹＫ値に対応付けられたＣ"Ｍ"Ｙ"Ｋ"値を出力する。
【００７１】
一方、入力されたＣ'Ｍ'Ｙ'Ｋ'値に一致するＣＭＹＫ値がインク削減用プロファイル６３に存在しない場合、第１プロファイル合成部４４は、補間処理４４ｐを行う。補間処理４４ｐでは、インク削減用プロファイル６３において、入力されたＣ'Ｍ'Ｙ'Ｋ'値に一番近いＣＭＹＫ値を基準とし、基準から周辺の（即ち、与えられた距離範囲内の）ＣＭＹＫ値に対応付けられているＣ"Ｍ"Ｙ"Ｋ"値を用いて、入力されたＣ'Ｍ'Ｙ'Ｋ'値に対するＣ"Ｍ"Ｙ"Ｋ"値が算出される。
【００７２】
第１プロファイル合成部４４は、インク削減用プロファイル６３と、補間処理４４ｐとによって、合成プロファイル６４を作成し出力する。
【００７３】
図１２は、手順５における処理を説明するための図である。図１２において、第２プロファイル合成部４５は、入力プロファイル６１のＬａｂ値を入力とし、合成プロファイル６４を参照して、一致するＬａｂ値が存在する場合には、一致したＬａｂ値に対応付けられたＣ"Ｍ"Ｙ"Ｋ"値を出力する。
【００７４】
一方、入力されたＬａｂ値が合成プロファイル６４に存在しない場合、第２プロファイル合成部４５は、補間処理４５ｐを行う。補間処理４５ｐでは、合成プロファイル６４において、入力されたＬａｂ値に一番近いＬａｂ値を基準とし、基準から周辺の（即ち、与えられた距離範囲内の）Ｌａｂ値に対応付けられているＣ"Ｍ"Ｙ"Ｋ"値を用いて、入力されたＬａｂ値に対するＣ"Ｍ"Ｙ"Ｋ"値が算出される。
【００７５】
第２プロファイル合成部４５は、合成プロファイル６４と、補間処理４５ｐとによって、直接変換プロファイル７を作成し出力する。直接変換プロファイル７によって、ＣＭＹＫからＣ"Ｍ"Ｙ"Ｋ"へと直接変換するテーブルが示される。
【００７６】
手順１及び手順２において、印刷出力装置９０にチャート４ｃ−１及び４ｃ−２を出力させることで、個々の印刷出力装置９０の特性を考慮し、かつ、インク量（又は、トナー量）を削減する直接変換プロファイル７を作成することができる。
【００７７】
更に、チャート４ｃ−１及び４ｃ−２の出力を、新聞、商用ＪＣ、他用紙等の異なる種類の媒体で行うことで、印刷出力装置９０及び媒体の特性を考慮した、直接変換プロファイル７を作成することができる。この場合、１つのデータ変換処理装置７０には、媒体の種類毎に直接変換プロファイル７が備えられる。印刷出力装置９０では、媒体の種類の自動検出、又は、媒体の種類の設定によって、対応付けられた直接変換プロファイル７に基づいた処理後ビットマップデータ３を用いて印刷出力が行われる。
【００７８】
本実施例における直接変換プロファイル７により、データ変換処理装置７０は、ＣＭＹＫ値に対してＬａｂ値へ変換するための中間テーブルを不要にできる。即ち、本実施例では、人が視認する色空間であるＬａｂの色空間への中間テーブルを備えることなく、印刷のＣＭＹＫの色空間内で直接インク量を削減する直接変換プロファイル７を作成する。
【００７９】
本発明は、具体的に開示された実施例に限定されるものではなく、特許請求の範囲から逸脱することなく、主々の変形や変更が可能である。
【００８０】
以上の実施例を含む実施形態に関し、更に以下の付記を開示する。
（付記１）
印刷機に入力される第１の色空間の値と、該第１の色空間の値をカラーマッチングにより調整して印刷出力した第１のチャートを測色した第２の色空間の値とを用いて生成された、第１の色空間の値を第２の色空間の値に対応付ける第１の情報の入力を受け付け、
前記印刷機に応じた第１の色空間の範囲を制限する制限情報の入力を受け付け、
前記印刷機に入力される第１の色空間の値と、該第１の色空間の値をカラーマッチングにより調整せずに印刷出力した第２のチャートを測色した前記第２の色空間の値と、前記制限情報とを用いて生成された、第２の色空間の値を、制限された前記範囲内の第１の色空間の値に対応付ける第２の情報の入力を受け付け、
前記第１の情報と前記第２の情報とに基づき、入力される第１の色空間の値を、制限された前記範囲内の第１の色空間の値に変換する変換プロファイルを生成する
処理をコンピュータが行うプロファイルデータ生成方法。
（付記２）
前記コンピュータが、
前記第２の情報の前記第２の色空間の値に基づいて、同一色を再現する前記第１の色空間の候補値を算出し、算出した該候補値のうち、該第１の色空間の所定の色要素が目標値より多い候補値を選択して、該値の変換値とした第３の情報を生成し、
前記第２の情報と前記第３の情報とに基づいて、前記第２の情報の前記第２の色空間から前記第１の色空間における前記選択した候補値へと変換する第４の情報を生成し、
前記第１の情報の変換後の値と、該変換後の値を入力値とし前記第４の情報を用いて変換した変換結果とを対応付けることによって、前記変換プロファイルを生成する
ことを特徴とする付記１記載のプロファイルデータ生成方法。
（付記３）
前記コンピュータは、
前記第１の情報の前記変換後の値が前記第４の情報に存在しない場合、該変換後の値に一番近い該第４の情報の変換前の値を用いて、該変換前の値の周辺にある複数の値に基づいて、前記変換結果を算出する
ことを特徴とする付記２記載のプロファイルデータ生成方法。
（付記４）
前記所定の色要素はブラックであることを特徴とする付記１乃至３のいずれか一項記載のプロファイルデータ生成方法。
（付記５）
前記所定の色要素以外の他の色要素の量は、目標値の量より少ないことを特徴とする付記１乃至４のいずれか一項記載のプロファイルデータ生成方法。
（付記６）
印刷機に入力される第１の色空間の値と、該第１の色空間の値をカラーマッチングにより調整して印刷出力した第１のチャートを測色した第２の色空間の値とを用いて生成された、第１の色空間の値を第２の色空間の値に対応付ける第１の情報の入力を受け付け、
前記印刷機に応じた第１の色空間の範囲を制限する制限情報の入力を受け付け、
前記印刷機に入力される第１の色空間の値と、該第１の色空間の値をカラーマッチングにより調整せずに印刷出力した第２のチャートを測色した前記第２の色空間の値と、前記制限情報とを用いて生成された、第２の色空間の値を、制限された前記範囲内の第１の色空間の値に対応付ける第２の情報の入力を受け付け、
前記第１の情報と前記第２の情報とに基づき、入力される第１の色空間の値を、制限された前記範囲内の第１の色空間の値に変換する変換プロファイルを生成する
処理をコンピュータに行わせるプロファイルデータ生成プログラム。
（付記７）
印刷機に入力される第１の色空間の値と、該第１の色空間の値をカラーマッチングにより調整して印刷出力した第１のチャートを測色した第２の色空間の値とを用いて生成された、第１の色空間の値を第２の色空間の値に対応付ける第１の情報の入力を受け付け、
前記印刷機に応じた第１の色空間の範囲を制限する制限情報の入力を受け付け、
前記印刷機に入力される第１の色空間の値と、該第１の色空間の値をカラーマッチングにより調整せずに印刷出力した第２のチャートを測色した前記第２の色空間の値と、前記制限情報とを用いて生成された、第２の色空間の値を、制限された前記範囲内の第１の色空間の値に対応付ける第２の情報の入力を受け付け、
前記第１の情報と前記第２の情報とに基づき、入力される第１の色空間の値を、制限された前記範囲内の第１の色空間の値に変換する変換プロファイルを生成する処理部を有するプロファイルデータ生成装置。
（付記８）
同一の色空間において、各色の色要素の目標値を、自装置の特性に応じたカラーマッチングにより調整され、かつ、グレー置換を含んだ色要素の値に変換するプロファイルを記憶した記憶部と、
原稿データを、該原稿データの前記色空間における各色を前記記憶部に記憶された前記プロファイルを用いて変換した前記色要素の値で印刷する印刷処理部と
を有する印刷装置。
【符号の説明】
【００８１】
１          原稿データ
２          処理前ビットマップデータ
３          処理後ビットマップデータ
４          印刷物
４ｃ−１、４ｃ−２        チャート
５          ＣＭＹＫデータ
７          直接変換プロファイル
４１        入力プロファイル生成部
４２        出力プロファイル生成部
４３        インク削減用プロファイル生成部
４４        第１プロファイル合成部
４５        第２プロファイル合成部
５１        第１測色値
５２        第２測色値
６１        入力プロファイル
６２        出力プロファイル
６３        インク削減用プロファイル
６４        合成プロファイル
７０        データ変換処理装置
７２        データ処理部
７３        記憶部
９０        印刷出力装置
９０−２    測色機
１００      プロファイルデータ生成装置
１３０      記憶部
【図１】
0006699101.tif 000002
【図２】
0006699101.tif 000003
【図３】
0006699101.tif 000004
【図４】
0006699101.tif 000005
【図５】
0006699101.tif 000006
【図６】
0006699101.tif 000007
【図７】
0006699101.tif 000008
【図８】
0006699101.tif 000009
【図９】
0006699101.tif 000010
【図１０】
0006699101.tif 000011
【図１１】
0006699101.tif 000012
【図１２】
0006699101.tif 000013